(57)【特許請求の範囲】
【請求項１】
記録媒体を収納したカートリッジを記録媒体駆動装置に設けたカートリッジホルダ内に挿入する際、前記カートリッジの挿入方向と略平行な一つの側面に形成された凹部に係合して該カートリッジを前記カートリッジホルダ内の引き込み完了位置まで引き込むように動作するカートリッジ引き込み部材を備えたカートリッジ引き込み機構において、
前記カートリッジ引き込み部材は、前記カートリッジの一つの側面と対応して前記カートリッジホルダの一つの側面の外側に略直線移動可能に支持され、且つ、バネによって前記カートリッジホルダの後方側に付勢されているも、初期時には前記バネの付勢力に抗して前記カートリッジホルダの前方側に位置規制され、一方、前記カートリッジの挿入時に該カートリッジの前方部位が当接し、前記カートリッジの一つの側面に形成された凹部に係合することにより、前方側への位置規制が解除され、この後、前記バネの付勢力で前記カートリッジホルダの一つの側面に沿って後方側に略直線移動することで前記カートリッジを前記カートリッジホルダ内の引き込み完了位置まで引き込むことを特徴とするカートリッジ引き込み機構。
【発明の詳細な説明】
【０００１】
【発明の属する技術分野】
本発明は、光ディスク，光磁気ディスクなどの記録媒体を収納したカートリッジを記録媒体駆動装置に設けたカートリッジホルダ内に確実に引き込ませることができるカートリッジ引き込み機構に関するものである。
【０００２】
【従来の技術】
一般的に、光ディスク又は光磁気ディスクは、音楽情報，映像情報などの情報を大容量に記録及び／又は再生でき、且つ、所望の情報を高速にアクセスできることから多用されている。
【０００３】
この種の光ディスク又は光磁気ディスクは信号面を保護するために、開閉自在なシャッタを備えたディスク・カートリッジ内に収納されている。
【０００４】
また、ディスク・カートリッジを装着可能な光ディスク装置は各種の構造形態が採用されているものの、特開２０００−３４８４１４号公報にはカートリッジの挿入検出の遅れ、及びカートリッジの引込み開始の遅れを解決できる記録媒体装着装置が開示されている。また、特開平８−１４７８３５号公報には車載用ＭＤディスクプレーヤにカートリッジが誤った姿勢で挿入されないように図ったカートリッジ誤挿入防止装置が開示されている。
【０００５】
図１１は従来の一例の記録媒体装着装置を説明するため平面図、
図１２は従来の他例のカートリッジ誤挿入防止装置を説明するため平面図である。
【０００６】
まず、図１１に示した従来の一例の記録媒体装着装置は、上記した特開２０００−３４８４１４号公報に開示されているものであり、ここでは本発明に関連する構成部材に付番を付して簡略に説明する。
【０００７】
図１１に示した如く、ディスク・カートリッジ１００は、内部にディスク状記録媒体１０１が回転可能に収納され、且つ、不使用時にはディスク・カートリッジ１００の右側面１００ａ側に開閉自在に設けたシャッタ１０２で図示しない開口部を閉蓋している。
【０００８】
一方、従来の一例の記録媒体装着装置１１０では、ディスク・カートリッジ１００をホルダ１１１内に装着する際に、ディスク・カートリッジ１００のシャッタ１０２側がホルダ１１１の右側面１１１ａ側に対応した時に正しい向きの挿入となっている。
【０００９】
一方、ホルダ１１１の左側面１１１ｂ側に誤挿入防止片１１２が内側に向かって突出形成されている。ここで、ディスク・カートリッジ１００が正しい向きで挿入されない場合には、誤挿入防止片１１２が挿入検出位置の手前でディスク・カートリッジ１００の挿入を阻止するため、誤挿入検出をカートリッジ挿入の手前で行えるので、誤挿入を検出するタイミングを早くできると共に、ディスク・カートリッジ１００の引込み開始のタイミングを早くできる。これにより、ホルダ１１１内に挿入されたディスク・カートリッジ１００の引込み開始から引込み完了までの引込み距離を長くすることができるようになっている。
【００１０】
また、記録媒体装着装置１１０の奥方に、カートリッジフック１１３が図示しないカムギアによって軸１１４を中心に矢印Ｍ１，Ｍ２方向に回動可能に設けられている。
【００１１】
そして、図示のようにディスク・カートリッジ１００が正しい向きでホルダ１１１内に挿入されると、シャッタ１０２が開かれると共に、誤挿入防止片１１２がディスク・カートリッジ１００の左側面１００ｂに形成した溝１００ｂ１に進入する。この後、更に、ディスク・カートリッジ１００が挿入方向に押圧されると、図示しない駆動源となるカムギアによってカートリッジフック１１３が矢印Ｍ１方向に回動し、このカートリッジフック１１３の先端に形成した突部１１３ａがディスクカートリッジ１００の左側面１００ｂに形成した凹部１００ｂ２に係合するために、ディスクカートリッジ１００がホルダ１１１内に引き込まれる。
【００１２】
次に、図１２に示した従来の他例のカートリッジ誤挿入防止装置は、上記した特開平８−１４７８３５号公報には開示されているものであり、ここでは本発明に関連する構成部材に付番を付して簡略に説明する。
【００１３】
図１２に示した如く、ディスク・カートリッジ２００は、内部に光ディスク（図示せず）が回転可能に収納され、且つ、不使用時にはディスク・カートリッジ２００の右側面２００ａ側に開閉自在に設けたシャッタ２０２で図示しない開口部を閉じている。
【００１４】
一方、従来の他例のカートリッジ誤挿入防止装置（プレーヤ）２１０では、ディスク・カートリッジ２００の左側面２００ｂ側にローディングユニット２１１が設けられている。ここで、ディスク・カートリッジ２００を挿入口２１２からカートリッジ挿入／排出用通路２１３内に挿入すると、シャッタ２０２が開かれると共に、ローディングユニット２１１に設けたキャッチ２１１ａがディスク・カートリッジ２００の左側面２００ｂに形成した溝２００ｂ１に係合して、キャッチ２１１ａと一緒にディスク・カートリッジ１がカートリッジ挿入／排出用通路２１３内の奥方に向かって移動することで、ディスク・カートリッジ１がフローティングユニット２１４内に引き込まれる。
【００１５】
【発明が解決しようとする課題】
ところで、前記したように、従来の一例の記録媒体装着装置１１０では、ディスク・カートリッジ１００をホルダ１１１内に引き込む時に、駆動源となるカムギアによってカートリッジフック１１３を回動させて、このカートリッジフック１１３をディスクカートリッジ１００の左側面１００ｂに形成した凹部１００ｂ２に係合させているために、カートリッジ引き込み機構の構造が複雑で且つ装置１１０が大型化してしまう。
【００１６】
一方、従来の他例のカートリッジ誤挿入防止装置（プレーヤ）２１０でも、ディスク・カートリッジ２００をカートリッジ挿入／排出用通路２１３内に引き込む時に、ローディングユニット２１１に設けたキャッチ２１１ａをディスク・カートリッジ２００の左側面２００ｂに形成した溝２００ｂ１に係合させて、ローディングユニット２１１内の駆動力でキャッチ２１１ａと一緒にディスク・カートリッジ１をカートリッジ挿入／排出用通路２１３内の奥方に向かって移動させているため、カートリッジ引き込み機構の構造が複雑で且つ装置２１０が大型化してしまう。
【００１７】
そこで、駆動源を用いることなく、カートリッジの挿入動作に協働してカートリッジをカートリッジホルダ内に確実に引き込むことができるカートリッジ引き込み機構が望まれている。
【００１８】
【課題を解決するための手段】
本発明は上記課題に鑑みてなされたものであり、記録媒体を収納したカートリッジを記録媒体駆動装置に設けたカートリッジホルダ内に挿入する際、前記カートリッジの挿入方向と略平行な一つの側面に形成された凹部に係合して該カートリッジを前記カートリッジホルダ内の引き込み完了位置まで引き込むように動作するカートリッジ引き込み部材を備えたカートリッジ引き込み機構において、
前記カートリッジ引き込み部材は、前記カートリッジの一つの側面と対応して前記カートリッジホルダの一つの側面の外側に略直線移動可能に支持され、且つ、バネによって前記カートリッジホルダの後方側に付勢されているも、初期時には前記バネの付勢力に抗して前記カートリッジホルダの前方側に位置規制され、一方、前記カートリッジの挿入時に該カートリッジの前方部位が当接し、前記カートリッジの一つの側面に形成された凹部に係合することにより、前方側への位置規制が解除され、この後、前記バネの付勢力で前記カートリッジホルダの一つの側面に沿って後方側に略直線移動することで前記カートリッジを前記カートリッジホルダ内の引き込み完了位置まで引き込むことを特徴とするカートリッジ引き込み機構である。
【００１９】
【発明の実施の形態】
以下に本発明に係るカートリッジ引き込み機構の一実施例を図１乃至図１０を参照して項目順に詳細に説明する。
【００２０】
尚、本発明に係るカートリッジ引き込み機構は、光ディスク，光磁気ディスク，磁気ディスクなどの記録媒体を収納したカートリッジに対して適用できる記録媒体駆動装置内に備えられているものであるが、以下の説明では、ディスク・カートリッジを適用した光ディスク装置内にカートリッジ引き込み機構を備えた場合を例として述べる。
【００２１】
ここで、本発明に係るカートリッジ引き込み機構を説明する前に、このカートリッジ引き込み機構に適用されるディスク・カートリッジについて先に図１を用いて説明する。
【００２２】
＜ディスク・カートリッジ＞
図１は本発明に係るカートリッジ引き込み機構に適用されるディスク・カートリッジを示した斜視図である。
【００２３】
図１に示した如く、ディスク・カートリッジ１は、外観を構成するカートリッジ２が小型軽量に略直方形状に形成されており、このカートリッジ２内に小外径の光ディスク又は光磁気ディスク３が回転可能に収納されている。この際、カートリッジ２の奥行き寸法×幅寸法×高さ寸法は、５７ｍｍ×５９ｍｍ×５ｍｍ程度に設定されている。
【００２４】
上記したカートリッジ２は、奥行き方向の前方部位となる前面２ａ側が後述する光ディスク装置１０（図２，図３）への挿入方向前方部位に設定されている。
【００２５】
また、カートリッジ２の上面２ｂに上側開口部２ｂ１が点線で示したように穿設され、且つ、カートリッジ２の下面２ｃに下側開口部２ｃ１が上側開口部２ｂ１よりも大きく点線で示したように穿設されている。そして、カートリッジ２の上面２ｂに穿設した上側開口部２ｂ１内に後述する光ディスク装置１０に設けた不図示の磁気ヘッドが進入可能になっている一方、カートリッジ２の下面２ｃに穿設した下側開口部２ｃ１内に光ディスク装置１０に設けた不図示のターンテーブル及び光ピックアップが進入可能になっている。
【００２６】
また、ディスク・カートリッジ１の光ディスク装置１０への挿入方向と略平行な一つの側面（以下、右側面と記す）２ｄに沿ってシャッタ４が移動可能に設けられており、このシャッタ４は、カートリッジ２の上面２ｂに穿設した上側開口部２ｂ１と、カートリッジ２の下面２ｃに穿設した下側開口部２ｃ１とを開閉するために矢印Ｘ１，Ｘ２方向に移動可能になっている。
【００２７】
ここで、シャッタ４の一端４ａ側には第１ネジリバネ５が掛けられており、この第１ネジリバネ５によってシャッタ４が常に閉じ方向（矢印Ｘ１方向）に付勢されている。また、シャッタ４の他端４ｂ側には、シャッタロック片６が軸７を中心に第２ネジリバネ８によって反時計方向に付勢されており、このシャッタロック片６でシャッタ４の他端４ｂ側をロックすることで、シャッタ４は閉じ状態となっている。そして、シャッタ４を第１ネジリバネ５の付勢力に抗して開く時には、カートリッジ２の挿入方向前方側で右側面２ｄに沿って形成した溝２ｄ１内に後述するように光ディスク装置１０に設けたカートリッジ引き込み部材２３のシャッタロック解除片２３ｃ（図５）を挿入してシャッタロック片６を押すことで、シャッタ４の他端４ｂがシャッタロック片６によるロックを解除されると共に、ディスク・カートリッジ１の挿入動作に伴ってシャッタロック片６によりシャッタ４が開かれるようになっている。
【００２８】
また、シャッタ４の側面に形成した角孔４ｃ内に光ディスク装置１０に設けたカートリッジ引き込み部材２３のシャッタ保持用板バネ片２３ａが係合することで、後述するようにイジェク時にカートリッジ引き込み部材２３をカートリッジホルダ１９の前方側に戻してディスク・カートリッジ１の挿入前の状態（初期状態）に戻すようになっている。
【００２９】
また、カートリッジ２の右側面２ｄ上で挿入方向前方部位側に形成した溝２ｄ１の下方にカートリッジ保持用凹部２ｄ２が形成されており、このカートリッジ保持用凹部２ｄ２内には後述するように光ディスク装置１０に設けたカートリッジ引き込み部材２３のカートリッジ保持片２３ｉ（図５）が底面２ｃ側から進入することで、ディスク・カートリッジ１を保持しながらカートリッジホルダ１９（図５）内のカートリッジ引き込み完了位置まで引き込むようになっている。
【００３０】
＜光ディスク装置＞
図２は本発明に係るカートリッジ引き込み機構を備えた光ディスク装置の外観形状を示した斜視図であり、且つ、フロントドアが閉じた状態を示した図、
図３は本発明に係るカートリッジ引き込み機構を備えた光ディスク装置の外観形状を示した斜視図であり、且つ、フロントドアが開いた状態を示した図、
図４は図２及び図３に示した光ディスク装置の各構成部材を分解して示した分解斜視図である。
【００３１】
図２及び図３に示した如く、本発明に係るカートリッジ引き込み機構を備えた光ディスク装置１０は、先に図１を用いて説明した小型軽量のディスク・カートリッジ１をスロットイン方式により手動で挿脱可能に構成されている。
【００３２】
そして、図２に示した如く、光ディスク装置１０を使用しない不使用時、又は、ディスク・カートリッジ１の光ディスク装置１０内への装着完了時には、後述するように光ディスク装置１０の前面側に設けたフロントドア２８が閉蓋されており、且つ、ディスク・カートリッジ１を装着していないカートリッジホルダ１９、又は、ディスク・カートリッジ１を装着完了したカートリッジホルダ１９が下降位置に至った形態を取るようになっている。
【００３３】
一方、図３に示した如く、ディスク・カートリッジ１の光ディスク装置１０への挿脱時には、フロントドア２８を後述するように手動で開蓋することで、フロントドア２８の開蓋動作と協動してカートリッジホルダ１９が上昇位置に至る形態を取るようになっている。そして、フロントドア２８を開いた状態で、ディスク・カートリッジ１をカートリッジホルダ１９内に挿入する時には、カートリッジ２の右側面２ｄに設けたシャッタ４側をカートリッジホルダ１９の右側面１９ｃ側に対応させることで、ディスク・カートリッジ１が正規な挿入姿勢を取るものである。
【００３４】
具体的には、図４に示した如く、本発明に係るカートリッジ引き込み機構を備えた光ディスク装置１０では、シャーシベース１１がアルミ材を用いて矩形状の上面１１ａの前後を下方に折り曲げて前面１１ｂ及び後面１１ｃが形成され、且つ、上面１１ａの左右を上方に折り曲げて左側面１１ｄ及び右側面１１ｅが形成されている。この際、シャーシベース１１の上面１１ａの略中央部位には、ここでの図示を省略するものの、ディスク・カートリッジ１内の光ディスク又は光磁気ディスク３（図１）を載置するためのターンテーブルを固着して回転自在なスピンドルモータと、光ディスク又は光磁気ディスク３を記録及び／又は再生するために光ディスク又は光磁気ディスク３の径方向に移動自在な光ピックアップとが設けられている。
【００３５】
また、シャーシベース１１の前面１１ｂにフロントパネル１２がネジ１３，１３により固着されている。
【００３６】
また、シャーシベース１１の左側面１１ｄの外側及び右側面１１ｅの外側には、互いに対向して左側のスライドプレート１４（図２）及び右側のスライドプレート１５がシャーシベース１１に対して矢印Ｘ１，Ｘ２方向に直線移動自在（水平移動自在）に設けられている。
【００３７】
また、図４では、シャーシベース１１の左側面１１ｄ側の詳細な図示を省略しているものの、左側面１１ｄ側と略対称構造のシャーシベース１１の右側面１１ｅの外側について説明すると、シャーシベース１１の右側面１１ｅの前方部位及び後方部位にガイドピン１６，１７がそれぞれ外側に向かって固着されている。そして、シャーシベース１１の右側面１１ｅの外側に固着したガイドピン１６，１７は、右側（図示手前側）のスライドプレート１５に形成した第１，第２水平溝１５ａ，１５ｂ内にそれぞれ係合している。
【００３８】
また、シャーシベース１１の右側面１１ｅにバネ掛止片１１ｅ１が下方に向かって突出形成され、一方、スライドプレート１５にもバネ掛止片１５ｃが下方に向かって突出形成されており、シャーシベース１１のバネ掛止片１１ｅ１とスライドプレート１５のバネ掛止片１５ｃとの間に引張バネ１８が掛けられているので、スライドプレート１５はシャーシベース１１に対して矢印Ｘ１方向に常時付勢されて直線移動（水平移動）可能になっている。勿論、左側のスライドプレート１４（図２）も右側のスライドプレート１５と同様の構造であるので、左側のスライドプレート１４もシャーシベース１１に対して矢印Ｘ１方向に常時付勢されて、右側のスライドプレート１５に位相を合わせて直線移動（水平移動）可能になっている。
【００３９】
また、シャーシベース１１の上面１１ａの上方には、ディスク・カートリッジ１を挿入して保持するためのカートリッジホルダ１９が左右のスライドプレート１４（図２），１５と協働して矢印Ｙ１，Ｙ２方向に上下動可能に設けられている。
【００４０】
上記したカートリッジホルダ１９は、天板１９ａと、この天板１９ａの左右を下方に折り曲げ形成した左側面１９ｂ及び右側面１９ｃと、左側面１９ｂ及び右側面１９ｃの各下端部を内側に向かって僅かに折り曲げ形成した左側底面１９ｄ及び右側底面１９ｅとが薄いステンレス板を用いて略箱形状に一体的に折り曲げ形成されており、且つ、左側底面１９ｄと右側底面１９ｅとの間は接続されてなく下方に向かって大きく開口されている。従って、ディスク・カートリッジ１は、天板１９ａ，左側面１９ｂ及び右側面１９ｃ，左側底面１９ｄ及び右側底面１９ｅで囲まれた枠内に前方から挿脱可能になっている。
【００４１】
また、図４では、カートリッジホルダ１９の左側面１９ｂ側の詳細な図示を省略しているものの、左側面１９ｂ側と略対称構造のカートリッジホルダ１９の右側面１９ｃの外側について説明すると、カートリッジホルダ１９の右側面１９ｃの略中央部位及び後端部位にガイドピン２０，２１がそれぞれ外側に向かって固着されている。この際、カートリッジホルダ１９の右側面１９ｃの略中央部位に固着したガイドピン２０は、シャーシベース１１の右側面１１ｅの略中央部位に形成した縦溝１１ｅ２を通り抜けて右側のスライドプレート１５の略中央部位に形成した第１傾斜溝１５ｄに係合している。一方、カートリッジホルダ１９の右側面１９ｃの後端部位に固着したガイドピン２１は、シャーシベース１１の右側面１１ｅの後端近傍に形成した逃げ片１１ｅ３の上方を通り抜けて右側のスライドプレート１５の後端部位に形成した第２傾斜溝１５ｅに係合している。勿論、カートリッジホルダ１９の左側面１９ｂ側も右側面１９ｃと同じ構造である。
【００４２】
また、カートリッジの右側面（一つの側面）２ｄと対応するカートリッジホルダ１９の右側面１９ｃの外側には、本発明の要部となるカートリッジ引き込み部材２３が略直線移動（略水平移動）可能且つ回動可能に支持されている。この際、カートリッジホルダ１９の右側面１９ｃの外側で上記したガイドピン２０より前方に固着したガイドピン２２は、カートリッジ引き込み部材２３の前方部位に形成した水平溝２３ｂに係合しているので、カートリッジ引き込み部材２３は右側のスライドプレート１５よりも内側に位置している。
【００４３】
また、カートリッジ引き込み部材２３の後方部位に形成したバネ掛止片２３ｇと、カートリッジホルダ１９の右側面１９ｃの後端部位に固着したガイドピン２１との間に引張バネ２４が掛けられている。
【００４４】
上記したカートリッジ引き込み部材２３は、ディスク・カートリッジ１の挿入時に、シャッタ４（図１）を開いてディスク・カートリッジ１を保持しながらカートリッジホルダ１９内に確実に引き込むと共に、ディスク・カートリッジ１のイジェク時にも機能するものであり、このカートリッジ引き込み部材２３については後で詳述する。
【００４５】
また、シャーシベース１１の左側面１１ｄ及び右側面１１ｅの前方部位には、門型形状に折り曲げ形成したフロントドア支持部材２５の左右の側面２５ａ，２５ｂが軸２６，２６を支点にして回動可能に支持されており、且つ、フロントドア支持部材２５の左右の側面２５ａ，２５ｂの外側にガイドピン（２７），２７が固着されていると共に、これらのガイドピン（２７），２７は左右のスライドプレート（１４），１５の前方部位に形成した第３傾斜溝（１４ｆ），１５ｆに係合している。
【００４６】
また、フロントドア支持部材２５の左右の側面２５ａ，２５ｂ間の上方部位にフロントドア２８がネジ２９，２９により固着されており、このフロントドア２８は前方中央部位に手で把持して開蓋するための把持部２８ａが突出形成されている。
【００４７】
ここで、上記のように光ディスク装置１０を構成した時に、カートリッジホルダ１９の上下動と、フロントドア２８の開閉動作とについて先に説明する。
【００４８】
まず、図２及び図４に示したように、左右のスライドプレート１４，１５に形成した第１，第２水平溝（１４ａ，１４ｂ…図示せず），（１５ａ，１５ｂ）が、シャーシベース１１の左側面１１ｄ，右側面１１ｅに固着したガイドピン（１６，１７…図示せず），（１６，１７）に案内されているので、左右のスライドプレート１４，１５は引張バネ（１８…図示せず），１８の付勢力により矢印Ｘ１方向に移動している。
【００４９】
そして、左右のスライドプレート１４，１５の矢印Ｘ１方向への移動に伴って、カートリッジホルダ１９の左側面１９ｂ，右側面１９ｃに固着したガイドピン（２０，２１……図示せず），（２０，２１）が、左右のスライドプレート１４，１５に形成した第１，第２傾斜溝（１４ｄ，１４ｅ…図示せず），（１５ｄ，１５ｅ）内の低い位置に至っているので、カートリッジホルダ１９は矢印Ｙ１方向に下降している。
【００５０】
また、左右のスライドプレート１４，１５の矢印Ｘ１方向への移動に伴って、フロントドア支持部材２５の左右の側面２５ａ，２５ｂに固着したガイドピン（２７），２７が、左右のスライドプレート１４，１５に形成した第３傾斜溝（１４ｆ…図示せず），１５ｆ内の低い位置に至っているので、フロントドア支持部材２５は軸２６，２６を中心に矢印Ｔ１方向（反時計方向）に回動し、このフロントドア支持部材２５に取り付けたフロントドア２８がフロントパネル１２に密着するので、フロントドア２８が閉じられている。この状態は、前述したように、光ディスク装置１０の不使用時、又は、ディスク・カートリッジ１の光ディスク装置１０内への装着完了時に対応している。
【００５１】
次に、フロントドア２８が閉じている状態からフロントドア２８を開くには、図３及び図４に示した如く、フロントドア２８の前方部位に突出形成した把持部２８ａを手動により上方に持ち上げると、フロントドア２８を取り付けたフロントドア支持部材２５が軸２６，２６を中心に矢印Ｔ２方向（時計方向）に回動するので、フロントドア支持部材２５の左右の側面２５ａ，２５ｂに固着したガイドピン（２７），２７が、左右のスライドプレート（１４），１５に形成した第３傾斜溝（１４ｆ…図示せず），１５ｆ内の高い位置に至り、これに伴って左右のスライドプレート（１４），１５は引張バネ（１８…図示せず），１８の付勢力に抗して矢印Ｘ２方向に移動する。
【００５２】
そして、左右のスライドプレート（１４），１５の矢印Ｘ２方向への移動に伴って、カートリッジホルダ１９の左側面１９ｂ，右側面１９ｃに固着したガイドピン（２０，２１……図示せず），（２０，２１）が、左右のスライドプレート１４，１５に形成した第１，第２傾斜溝（１４ｄ，１４ｅ…図示せず），（１５ｄ，１５ｅ）内の高い位置に至るので、カートリッジホルダ１９は矢印Ｙ２方向に上動する。この状態は、前述したように、ディスク・カートリッジ１の光ディスク装置１０への挿脱時に対応している。
【００５３】
次に、本発明に係るカートリッジ引き込み機構について、図５を用いて説明する。
【００５４】
図５は本発明に係るカートリッジ引き込み機構において、要部となるカートリッジ引き込み部材を説明するための斜視図である。
【００５５】
図５に示した如く、本発明に係るカートリッジ引き込み機構では、要部となるカートリッジ引き込み部材２３が、前述したように、カートリッジの右側面（一つの側面）２ｄと対応するカートリッジホルダ１９の右側面１９ｃの外側に略直線移動（略水平移動）可能且つ回動可能に支持されており、このカートリッジ引き込み部材２３は、ディスク・カートリッジ１の挿入時に、シャッタ４（図１）を開いてディスク・カートリッジ１を保持しながらカートリッジホルダ１９内に確実に引き込むと共に、ディスク・カートリッジ１のイジェク時にも機能している。
【００５６】
上記したカートリッジ引き込み部材２３は、薄いステンレス板を用いて一体的に折り曲げ形成されており、ディスク・カートリッジ１の挿入方向の前方部位に“へ字状”のシャッタ保持用板バネ片２３ａがカートリッジホルダ１９の右側面１９ｃの方向に弾性変位可能に形成され、且つ、ディスク・カートリッジ１のカートリッジホルダ１９への挿入時にシャッタ保持用板バネ片２３ａを、先に図１を用いて説明したカートリッジ２のシャッタ４の側面に形成した角孔４ｃ内に係合させることで、ディスク・カートリッジ１をカートリッジホルダ１９内から取り出すイジェクト時に、カートリッジ引き込み部材２３をカートリッジホルダ１９の前方側に戻してディスク・カートリッジ１の挿入前の状態（初期状態）となるようにしている。
【００５７】
また、カートリッジ引き込み部材２３の前方部位でシャッタ保持用板バネ片２３ａより後方に水平溝２３ｂが穿設されており、前述したように水平溝２３ｂ内にカートリッジホルダ１９の右側面１９ｃに固着したガイドピン２２が係合することで、カートリッジ引き込み部材２３がカートリッジホルダ１９の右側面１９ｃに略直線移動（略水平移動）可能且つ回動可能に支持されるようになっている。
【００５８】
また、カートリッジ引き込み部材２３の前方部位で水平溝２３ｂより後方下方にシャッタロック解除片２３ｃが形成されており、シャッタロック解除片２３ｃは図１で説明したカートリッジ２の右側面２ｄに沿って形成した溝２ｄ１内に進入してシャッタ４のロックを解除すると共に、ディスク・カートリッジ１の挿入動作に伴ってシャッタロック解除片２３ｃによりシャッタ４を開くようになっている。
【００５９】
また、カートリッジ引き込み部材２３の中間部位に略Ｌ字状逃げ溝２３ｄが穿設されており、この略Ｌ字状逃げ溝２３ｄ内にカートリッジホルダ１９の右側面１９ｃから外側に向かって切り起こし形成したストッパ片１９ｃ１が進入しており、ストッパ片１９ｃ１が略Ｌ字状逃げ溝２３ｄの水平溝２３ｄ１内に位置している時にはカートリッジ引き込み部材２３が矢印Ｘ１，Ｘ２方向に移動可能になり、一方、ストッパ片１９ｃ１が略Ｌ字状逃げ溝２３ｄの上部左壁部２３ｄ２に当接している時にはカートリッジ引き込み部材２３の矢印Ｘ１方向への移動が規制されるようになっている。
【００６０】
また、カートリッジ引き込み部材２３の中間部位で略Ｌ字状逃げ溝２３ｄより後方にストッパ片２３ｅがシャーシベース１１の右側面１１ｅに向かって突出形成されており、カートリッジホルダ１９の下降時にストッパ片２３ｅがシャーシベース１１の右側面１１ｅの中間部位に上方に向かって突出形成した突起片１１ｅ４に当接してカートリッジ引き込み部材２３の矢印Ｘ１方向への移動を規制するようになっている。
【００６１】
また、カートリッジ引き込み部材２３の中間部位で略Ｌ字状逃げ溝２３ｄの下方に“へ字状”のイジェクト用板バネ片２３ｆがシャーシベース１１の右側面１１ｅの方向に弾性変位可能に形成されており、ディスク・カートリッジ１のイジェクト時にカートリッジホルダ１９の右側面１９ｃに沿って後方に移動したカートリッジ引き込み部材２３のイジェクト用板バネ片２３ｆが、シャーシベース１１の右側面１１ｅの中間部位に突起片１１ｅ４に連接して内側（カートリッジ引き込み部材２３側）に向かってテーパ状に折り曲げ、更に、後方に向かって水平に延出させた折曲片１１ｅ５の下端部に引っかかり、カートリッジ引き込み部材２３を下方に向かって回動させるようになっている。
【００６２】
また、カートリッジ引き込み部材２３の後方部位にバネ掛止片２３ｇが形成されており、このバネ掛止片２３ｇとカートリッジホルダ１９の右側面１９ｃの後端部位に固着したガイドピン２１との間にかけた引張バネ２４によってカートリッジ引き込み部材２３が矢印Ｘ１方向に常時付勢されている。この際、バネ掛止片２３ｇのバネかけ孔位置がガイドピン２１の高さより高く形成されているので、カートリッジ引き込み部材２３は引張バネ２４によって斜め後方下方に向かって付勢されている。
【００６３】
また、カートリッジ引き込み部材２３の後方部位でバネ掛止片２３ｇの上方にカートリッジ引き込み用板バネ片２３ｈが上下方向に弾性変位可能に形成されており、このカートリッジ引き込み用板バネ片２３ｈはディスク・カートリッジ１の引き込み時にカートリッジ引き込み部材２３を上方に向かって回動させるようになっている。
【００６４】
また、カートリッジ引き込み部材２３の後方部位でカートリッジ引き込み用板バネ片２３ｈの下方にカートリッジ保持片２３ｉが形成されており、このカートリッジ保持片２３ｉは図１で説明したカートリッジ２の右側面２ｄに形成したカートリッジ保持用凹部２ｄ２内に進入して、ディスク・カートリッジ１をカートリッジホルダ１９内で保持しながらカートリッジ引き込み完了位置に引き込むようになっている。
【００６５】
次に、本発明に係るカートリッジ引き込み機構の動作について、図６〜図１０を用いて説明する。
【００６６】
図６は本発明に係るカートリッジ引き込み機構において、ディスク・カートリッジを挿入しない状態の動作を説明するための模式図であり、（ａ）はフロントドアを閉じてカートリッジホルダが下降位置に至っている状態を示し、（ｂ）はフロントドアを開いてカートリッジホルダが上昇位置に至っている状態を示した図、
図７は本発明に係るカートリッジ引き込み機構において、ディスク・カートリッジの挿入動作を説明するための模式図であり、（ａ）はディスク・カートリッジの挿入開始状態を示し、（ｂ）はディスク・カートリッジの引き込み開始状態を示した図、
図８は本発明に係るカートリッジ引き込み機構において、ディスク・カートリッジの挿入動作を説明するための模式図であり、（ａ）はディスク・カートリッジの引き込み完了状態を示し、（ｂ）はディスク・カートリッジを記録再生位置に下降させた状態を示した図、
図９は本発明に係るカートリッジ引き込み機構において、ディスク・カートリッジのイジェクト動作を説明するための模式図であり、（ａ）はディスク・カートリッジが記録再生位置に至っている状態を示し、（ｂ）はディスク・カートリッジのイジェクト開始状態を示した図、
図１０は本発明に係るカートリッジ引き込み機構において、ディスク・カートリッジのイジェクト動作を説明するための模式図であり、（ａ）はディスク・カートリッジのイジェクト途中状態を示し、（ｂ）はディスク・カートリッジのイジェクト完了状態を示した図である。
【００６７】
まず、図６（ａ），（ｂ）に示した状態は、ディスク・カートリッジ１を挿入しない場合の初期状態を示している。尚、以下の説明において、ディスク・カートリッジ１がカートリッジホルダ１９内に挿入されていない状態を初期状態と呼称し、この初期時にはカートリッジホルダ１９が下降位置又は上昇位置に至っており、カートリッジホルダ１９の右側面１９ｃの外側に支持したカートリッジ引き込み部材２３がカートリッジ２の挿入方向前方側に位置規制されている状態であるものとする。
【００６８】
図６（ａ）に示した如く、初期時にはフロントドア２８が閉じており、カートリッジホルダ１９がシャーシベース１１上で下降位置に至っている場合には、カートリッジホルダ１９の右側面１９ｃの外側に支持したカートリッジ引き込み部材２３は、カートリッジホルダ１９の右側面１９ｃに固着したガイドピン２２が水平溝２３ｂ内に係合し、且つ、バネ掛止片２３ｇとカートリッジホルダ１９の右側面１９ｃの後端部位に固着したガイドピン２１との間にかけた引張バネ２４によって矢印Ｘ１方向に付勢されているものの、ストッパ片２３ｅがシャーシベース１１の右側面１１ｅの中間部位に上方に向かって突出形成した突起片１１ｅ４に当接しているため、カートリッジ引き込み部材２３の矢印Ｘ１方向への移動が規制されて、カートリッジ引き込み部材２３はカートリッジホルダ１９の前方側に位置規制されている。この状態では、カートリッジホルダ１９の右側面１９ｃから外側に向かって切り起こし形成したストッパ片１９ｃ１がカートリッジ引き込み部材２３の中間部位に穿設した略Ｌ字状逃げ溝２３ｄ内で上部左壁部２３ｄ２の下方に位置している。
【００６９】
次に、図６（ｂ）に示した如く、前述したようにフロントドア２８の開蓋動作に協働してカートリッジホルダ１９がシャーシベース１１上で上昇位置に至ると、カートリッジ引き込み部材２３のストッパ片２３ｅがカートリッジホルダ１９の上昇に伴ってシャーシベース１１の右側面１１ｅに形成した突起片１１ｅ４から当接を解除されるため、カートリッジ引き込み部材２３はガイドピン２２を支点として引張バネ２４による矢印Ｘ１方向の付勢力により斜め下方へ回動する。この動作に伴って、カートリッジホルダ１９の右側面１９ｃから外側に向かって切り起こし形成したストッパ片１９ｃ１は、カートリッジ引き込み部材２３の中間部位に穿設した略Ｌ字状逃げ溝２３ｄの上部左壁部２３ｄ２に当接するので、カートリッジ引き込み部材２３は矢印Ｘ１方向への移動が規制され、ここでもカートリッジ引き込み部材２３はカートリッジホルダ１９の前方側に位置規制されている。
【００７０】
そして、カートリッジ引き込み部材２３がカートリッジホルダ１９の前方側に位置規制されている状態では、カートリッジ引き込み部材２３の中間部位に形成したイジェクト用バネ片２３ｆはシャーシベース１１の右側面１１ｅに形成した突起片１１ｅ４の前方に位置しているので、カートリッジホルダ１９の上下動に支障がないようになっている。従って、ディスク・カートリッジ１を挿入することなく、フロントドア２８を開閉した場合には、カートリッジ引き込み部材２３がこれ以上矢印Ｘ１方向に引き込まれることがないので何等の支障もきたさない。
【００７１】
次に、図７（ａ），（ｂ）及び図８（ａ），（ｂ）は、ディスク・カートリッジを挿入する場合の状態を示しており、ここではフロントドア，スライドプレートの図示を省略している。
【００７２】
まず、図７（ａ）に示した如く、フロントドア２８（ここでは図示せず）を開いて、カートリッジホルダ１９がシャーシベース１１上で上昇位置に至った時に、図６（ｂ）で説明したのと同様の動作により、カートリッジ引き込み部材２３は水平溝２３ｂ内のガイドピン２２を支点として引張バネ２４による矢印Ｘ１方向の付勢力により斜め下方へ回動する。そして、前述したように、カートリッジ引き込み部材２３の斜め下方への回動に伴って、カートリッジホルダ１９の右側面１９ｃから外側に向かって切り起こし形成したストッパ片１９ｃ１は、カートリッジ引き込み部材２３の中間部位に穿設した略Ｌ字状逃げ溝２３ｄの上部左壁部２３ｄ２に当接している。
【００７３】
ここで、ディスク・カートリッジ１をカートリッジホルダ１９内に挿入すると、ディスク・カートリッジ１はカートリッジ引き込み部材２３の前方部位に形成したシャッタ保持用板バネ片２３ａを外側へ弾性変位させる。この後、ディスク・カートリッジ１を更に奥に挿入すると、カートリッジ引き込み部材２３のシャッタ保持用板バネ片２３ａの“へ字状”の先端部位が、ディスク・カートリッジ１のシャッタ４の側面に形成した角孔４ｃ内に係合する。また、カートリッジ引き込み部材２３の前方部位に形成したシャッタロック解除片２３ｃが図１で説明したカートリッジ２の右側面２ｄに沿って形成した溝２ｄ１内に進入するのでシャッタ４のロックが解除されて、ディスク・カートリッジ１の挿入動作に伴ってシャッタロック解除片２３ｃによってシャッタ４が開かれる。
【００７４】
更に、ディスク・カートリッジ１の挿入動作に伴って、カートリッジ引き込み部材２３の上部後方部位に形成したカートリッジ引き込み用板バネ片２３ｈにディスク・カートリッジ１の挿入方向前方部位が当接するので、カートリッジ引き込み部材２３がガイドピン２２を支点として上方に向かって回動しようとするものの、カートリッジ引き込み部材２３の下部後方部位に形成したカートリッジ保持片２３ｉがカートリッジ２の下面２ｃに当接するため、カートリッジ引き込み部材２３は上方に向かって回動できずにカートリッジ引き込み用板バネ片２３ｈが下方に向かって大きくたわむ。
【００７５】
次に、図７（ｂ）に示した如く、ディスク・カートリッジ１が更に奥方に挿入されると、カートリッジ引き込み部材２３の後方下方部位に形成したカートリッジ保持片２３ｉがカートリッジ２の右側面２ｄの後方下方部位に形成したカートリッジ保持用凹部２ｄ２内に底面２ｃ側から進入するので、カートリッジ引き込み部材２３は下方に向かってたわんでいるカートリッジ引き込み用板バネ片２３ｈの付勢力によりガイドピン２２を支点として上方に向かって回動する。このカートリッジ引き込み部材２３の上方への回動に伴って、カートリッジホルダ１９の右側面１９ｃから外側に向かって切り起こし形成したストッパ片１９ｃ１は、カートリッジ引き込み部材２３の中間部位に穿設した略Ｌ字状逃げ溝２３ｄの上部左壁部２３ｄ２から略Ｌ字状逃げ溝２３ｄの水平溝部２３ｄ１内に移動するので、カートリッジ引き込み部材２３は引張バネ２４の付勢力によりガイドピン２２，ストッパ片１９ｃ１に沿って水平溝２３ｂ，略Ｌ字状逃げ溝２３ｄの水平溝部２３ｄ１が矢印Ｘ１方向に略水平移動（略直線移動）可能な状態となる。この時、シャッタ４は全開になっている。
【００７６】
次に、図８（ａ）に示した如く、カートリッジ引き込み部材２３が引張バネ２４の付勢力によりカートリッジホルダ１９の後方側（矢印Ｘ１方向）に略水平移動することにより、ディスク・カートリッジ１をカートリッジホルダ１９内の引き込み完了位置まで引き込む。
【００７７】
この際、カートリッジ引き込み部材２３がカートリッジホルダ１９の後方側に移動する途中で、カートリッジ引き込み部材２３のイジェクト用バネ片２３ｆは、シャーシベース１１の右側面１１ｅの中間部位に突起片１１ｅ４に連接して内側（カートリッジ引き込み部材２３側）に向かってテーパ状に折り曲げ、更に、後方に向かって水平に延出させた折曲片１１ｅ５に沿って摺動している。
【００７８】
次に、図８（ｂ）に示した如く、ディスク・カートリッジ１がカートリッジホルダ１９内の引き込み完了位置まで引き込まれたら、図１及び図４で説明した左右のスライドプレート１４，１５を付勢している引張バネ（１８），１８の戻りの付勢力でディスク・カートリッジ１と一体にカートリッジホルダ１９が下降して記録再生位置に至ると共に、フロントドア２８（ここでは図示せず）が閉じられる。ここでは、カートリッジ引き込み部材２３がカートリッジホルダ１９の後方側に位置している。また、カートリッジホルダ１９の下降に伴って、カートリッジ引き込み部材２３のイジェクト用バネ片２３ｆは、シャーシベース１１の右側面１１ｅの中間部位に折り曲げ形成した折曲片１１ｅ５の下方に待機している。
【００７９】
この後、ディスク・カートリッジ１内に収納した光ディスク又は光磁気ディスク３（図１）への記録及び／又は再生が行われる。
【００８０】
次に、図９（ａ），（ｂ）及び図１０（ａ），（ｂ）は、ディスク・カートリッジをイジェクトする場合の状態を示しており、ここでもフロントドア，スライドプレートの図示を省略している。
【００８１】
まず、図９（ａ）に示した如く、ディスク・カートリッジ１が記録再生位置に至っている時には、上記したようにカートリッジホルダ１９の右側面１９ｃの外側に支持したカートリッジ引き込み部材２３はカートリッジホルダ１９の後方側に位置しているので、このカートリッジ引き込み部材２３の中間部位に形成したイジェクト用バネ片２３ｆは、シャーシベース１１の右側面１１ｅの中間部位に形成した折曲片１１ｅ５の下方に待機している。また、カートリッジ引き込み部材２３の後方下方部位に形成したカートリッジ保持片２３ｉが図１で説明したカートリッジ２の右側面２ｄに形成したカートリッジ保持用凹部２ｄ２内に進入してディスク・カートリッジ１をカートリッジホルダ１９内の引き込み完了位置で保持している。
【００８２】
次に、図９（ｂ）に示した如く、フロントドア２８（ここでの図示を省略）を開くと、ディスク・カートリッジ１と一体にカートリッジホルダ１９が上昇し、イジェクト動作が開始される。そして、カートリッジホルダ１９の上昇に伴って、カートリッジ引き込み部材２３の中間部位に形成したイジェクト用バネ片２３ｆの“へ字状”の先端部位が、シャーシベース１１の右側面１１ｅの中間部位に突起片１１ｅ４に連接して内側（カートリッジ引き込み部材２３側）に向かってテーパ状に折り曲げ、更に、後方に向かって水平に延出させた折曲片１１ｅ５の下端部に引っかかるので、カートリッジ引き込み部材２３はガイドピン２２を支点として下方に向かって時計方向に回動する。このカートリッジ引き込み部材２３の回動により、カートリッジ引き込み部材２３の後方部位に形成したカートリッジ保持片２３ｉが図１で説明したカートリッジ２の右側面２ｄに形成したカートリッジ保持用凹部２ｄ２内から離脱するので、ディスク・カートリッジ１はカートリッジ引き込み部材２３に対して矢印Ｘ２方向（排出方向）に移動可能になる。
【００８３】
次に、図１０（ａ）に示した如く、ディスク・カートリッジ１が矢印Ｘ２方向（排出方向）に移動可能な時に、カートリッジ２のシャッタ４に形成した角孔４ｃ内にカートリッジ引き込み部材２３の前方部位に形成したシャッタ保持用板バネ片２３ａが係合したまま、カートリッジ２内に設けた第１ネジリバネ５（図１）の戻りの付勢力によりディスク・カートリッジ１を矢印Ｘ２方向（排出方向）に移動させて、ディスク・カートリッジ１の一部がカートリッジホルダ１９の前方部位から突出する。
【００８４】
次に、図１０（ｂ）に示した如く、カートリッジホルダ１９の前方部位から突出したディスク・カートリッジ１を手で引き出すと、カートリッジ２のシャッタ４はカートリッジ引き込み部材２３のシャッタ保持用板バネ片２３ａと係合したままであるため、カートリッジ引き込み部材２３が一緒に引っ張られて矢印Ｘ２方向（排出方向）へ移動する。この後、カートリッジ引き込み部材２３は水平溝２３ｂ内に係合したガイドピン２２により矢印Ｘ２方向の移動が止められ、カートリッジ引き込み部材２３のシャッタ保持用板バネ片２３ａが弾性変位してシャッタ４の角孔４ｃとの係合が解除され、ディスク・カートリッジ１をカートリッジホルダ１９内から取り出すことができる。この時、カートリッジ引き込み部材２３の中間部位に形成した略Ｌ字状逃げ溝２３ｄ内では、カートリッジホルダ１９の右側面１９ｃから外側に向かって切り起こし形成したストッパ片１９ｃ１が水平溝２３ｄ１から上部左壁部２３ｄ２方向に移動し、引張バネ２４の付勢力によってカートリッジ引き込み部材２３が下方に回動するので、ストッパ片１９ｃ１は上部左壁部２３ｄ２に当接してロックされるので、カートリッジ引き込み部材２３はカートリッジ２の挿入方向前方側に位置規制されて、図６（ａ）の状態と同じになる。
【００８５】
【発明の効果】
以上詳述した本発明に係るカートリッジ引き込み機構において、請求項１記載によると、記録媒体を収納したカートリッジを記録媒体駆動装置に設けたカートリッジホルダ内のカートリッジ引き込み完了位置まで引き込む際に、カートリッジの一つの側面と対応してカートリッジホルダの一つの側面の外側に略直線移動可能に支持したカートリッジ引き込み部材を、カートリッジの挿入動作に協働して動作させているので、モータなどの駆動源を用いないためにカートリッジ引き込み機構の構造が簡単で小型軽量化を図ることができる。
【図面の簡単な説明】
【図１】本発明に係るカートリッジ引き込み機構に適用されるディスク・カートリッジを示した斜視図である。
【図２】本発明に係るカートリッジ引き込み機構を備えた光ディスク装置の外観形状を示した斜視図であり、且つ、フロントドアが閉じた状態を示した図である。
【図３】本発明に係るカートリッジ引き込み機構を備えた光ディスク装置の外観形状を示した斜視図であり、且つ、フロントドアが開いた状態を示した図である。
【図４】図２及び図３に示した光ディスク装置の各構成部材を分解して示した分解斜視図である。
【図５】本発明に係るカートリッジ引き込み機構において、要部となるカートリッジ引き込み部材を説明するための斜視図である。
【図６】本発明に係るカートリッジ引き込み機構において、ディスク・カートリッジを挿入しない状態の動作を説明するための模式図である。
【図７】本発明に係るカートリッジ引き込み機構において、ディスク・カートリッジの挿入動作を説明するための模式図である。
【図８】本発明に係るカートリッジ引き込み機構において、ディスク・カートリッジの挿入動作を説明するための模式図である。
【図９】本発明に係るカートリッジ引き込み機構において、ディスク・カートリッジのイジェクト動作を説明するための模式図である。
【図１０】本発明に係るカートリッジ引き込み機構において、ディスク・カートリッジのイジェクト動作を説明するための模式図である。
【図１１】従来の一例の記録媒体装着装置を説明するため平面図である。
【図１２】従来の他例のカートリッジ誤挿入防止装置を説明するため平面図である。
【符号の説明】
１…ディスク・カートリッジ、
２…カートリッジ、２ｄ…側面、２ｄ２…カートリッジ保持用凹部、
３…光ディスク又は光磁気ディスク、４…シャッタ、
１０…光ディスク装置、
１１…シャーシベース、１１ｄ…左側面、１１ｅ…右側面、
１１ｅ４…突起片、１１ｅ５…折曲片、
１４…左側のスライドプレート、１５…右側のスライドプレート、
１６，１７…ガイドピン、１８…引張バネ、
１９…カートリッジホルダ、１９ｃ…右側面、１９ｃ１…ストッパ片、
２３…カートリッジ引き込み部材、
２３ａ…シャッタ保持用板バネ片、２３ｂ…水平溝、
２３ｃ…シャッタロック解除片、
２３ｄ…略Ｌ字状逃げ溝、２３ｄ１…水平溝部、２３ｄ２…上部左壁部、
２３ｅ…ストッパ片、２３ｆ…イジェクト用板バネ片、
２３ｇ…バネ掛止片２３、２３ｈ…カートリッジ引き込み用板バネ片、
２３ｉ…カートリッジ保持片、
２１〜２３…ガイドピン、２４…引張バネ、
２８…フロントドア。
【図１】
0003729111.tif 000002
【図２】
0003729111.tif 000003
【図３】
0003729111.tif 000004
【図４】
0003729111.tif 000005
【図５】
0003729111.tif 000006
【図６】
0003729111.tif 000007
【図７】
0003729111.tif 000008
【図８】
0003729111.tif 000009
【図９】
0003729111.tif 000010
【図１０】
0003729111.tif 000011
【図１１】
0003729111.tif 000012
【図１２】
0003729111.tif 000013